【手続補正書】
【提出日】平成26年1月8日(2014.1.8)
【手続補正１】
【補正対象書類名】明細書
【補正対象項目名】０１７５
【補正方法】変更
【補正の内容】
【０１７５】
好ましくは、方法は、前述の比較に応じて感知信号及び基準パターンを処理して、使用者の修正表示を表示するステップを含む。修正表示は、（択一的にまたは組合せで）
−事前決定許容範囲限界を超える差が生じた人体の部位の彩色またはハイライト、及び、
−少なくとも差が生じた使用者の人体の部位において、使用者のグラフィック表示に加えて（例えば、これに部分的に重ねて）基準パターンに応じた使用者の理想的姿勢を表すグラフィック要素、
を含む。
【手続補正２】
【補正対象書類名】特許請求の範囲
【補正対象項目名】全文
【補正方法】変更
【補正の内容】
【特許請求の範囲】
【請求項１】
使用者（３）と対話して、前記使用者が抵抗荷重（７）の力を克服して事前設定経路に沿って運動を行うことができるように構成されたフィットネス用具（２）を備える、フィットネスエクササイズの実行を補助する装置（１）であり、
前記フィットネス用具（２）が、
−フレームと、
−前記フレームと可動的に結合されて、前記抵抗荷重（７）を形成する重りのスタックと、
−ケーブル（１９、３３）によって前記抵抗荷重（７）に接続されると共に前記抵抗荷重（７）を克服して経路に沿って前記使用者（３）によって移動可能である少なくとも１つの移動要素（８）と、
を備える前記装置において、
−前記使用者（３）の前記運動を表す信号を提供するように構成された感知手段（４）と、
−前記エクササイズの実行の際に前記使用者（３）に信号を送信するフィードバック手段（５）と、
−前記感知手段（４）及び前記フィードバック手段（５）に接続されて、前記使用者の前記運動を表す前記信号と正確に実行された前記エクササイズに対応する前記使用者（３）の前記運動の理想的パターンを表す事前決定基準パターンとの間の比較に基づいて、前記エクササイズの実行の正確性に関するリアルタイムのフィードバックを前記使用者（３）に提供するプロセッサ（６）と、
を組み合わせて備えることを特徴とする、
装置。
【請求項２】
−前記感知手段（４）が、連続的な一連の時点において前記エクササイズを実行する前記使用者の姿勢を表す信号を感知するように構成され、
−前記フィードバック手段（５）が、前記プロセッサ（６）によって生成された駆動信号に応じて画像を表示する画面（１０）を備え、
−前記プロセッサ（６）が、エクササイズパターンを表す少なくとも１つの事前決定評価パラメータによって前記一連の時点において採用された値に基づいて、前記感知信号と前記事前決定基準パターンとを比較するようにプログラムされ、前記プロセッサ（６）が、
前記感知信号に関する前記評価パラメータの値と前記基準パターンに関する前記評価パラメータの対応する値との間の差が、事前決定許容範囲限界よりも小さいかまたはこれに等しい場合に、前記基準パターンに基づいたグラフィック要素なしに前記使用者の実際の姿勢に対応する前記使用者のグラフィック表示を含み、
前記差が前記事前決定許容範囲限界よりも大きい場合に、前記差が生じた前記人体の部位を指示するために、前記基準パターンに基づいたグラフィック要素によって修正された前記使用者のグラフィック表示を含む、
ように前記駆動信号を生成するようにプログラムされることを特徴とする、
請求項１に記載の装置。
【請求項３】
前記プロセッサ（６）が、前記使用者によって取られた前記姿勢を表す第一の評価パラメータによって前記連続的時点において採用された値と、前記使用者が前記運動を実行する速度を表す第二の評価パラメータによって前記一連の時点において採用された値とに応じて、前記感知信号を前記事前決定基準パターンと比較するように構成されることを特徴とする、
請求項２に記載の装置。
【請求項４】
前記使用者の前記修正表示が、前記差が生じた前記人体の前記部位に彩色することまたはハイライトすることを含むことを特徴とする、
請求項２または３に記載の装置。
【請求項５】
前記使用者の前記修正されたグラフィック表示が、少なくとも前記差が生じた前記使用者の人体の前記部位において、前記使用者の前記表示に加えて、前記基準パターンに応じた前記使用者の理想的姿勢を表すグラフィック要素を含むことを特徴とする、
請求項２〜４のいずれか一項に記載の装置。
【請求項６】
前記駆動信号が、前記使用者の右手及び左手の順方向運動の状態及び順方向運動の速度を視覚的に示すようにそれぞれ構成された、右手充満バー（１５ｃ）と左手充満バー（１５ｄ）とを含むことを特徴とする、
請求項２〜５のいずれか一項に記載の装置。
【請求項７】
前記駆動信号がさらに、前記基準パターンに応じて、前記使用者の右手及び左手の順方向運動の理想的状態及び順方向運動の理想的速度を視覚的に示すようにそれぞれ構成された、右手基準充満バー（１５ａ）と左手基準充満バー（１５ｂ）とを含むことを特徴とする、
請求項６に記載の装置。
【請求項８】
前記プロセッサ（６）が、最適に実行された前記フィットネスエクササイズに対応する前記使用者（３）の前記運動を表す信号を記憶して、この信号を前記基準パターンとして設定するように構成されることを特徴とする、
請求項１〜７のいずれか一項に記載の装置。
【請求項９】
フレームと、前記フレームと可動的に結合されて抵抗荷重（７）を形成する重りのスタックと、ケーブル（１９、３３）によって前記抵抗荷重（７）に接続されると共に前記抵抗荷重（７）を克服して事前設定経路に沿って前記使用者（３）によって移動可能である少なくとも１つの移動要素（８）とを備えるフィットネス用具（２）を用いて、フィットネスエクササイズを実行する使用者（３）を補助する方法であり、
前記方法が、
−前記使用者（３）が前記フィットネスエクササイズを実行するときの前記使用者（３）の運動を表す信号を感知するステップと、
−前記使用者（３）の前記運動を表す前記信号を、正確に実行された前記フィットネスエクササイズに対応する前記使用者（３）の前記運動の理想的パターンを表す事前決定基準パターンとリアルタイムに比較するステップと、
−前記比較の結果に応じて、前記エクササイズの実行の正確性に関する信号をリアルタイムに前記使用者（３）に送信するステップと、
を含むことを特徴とする、
方法。
【請求項１０】
前記使用者（３）の前記運動を表す信号を感知する前記ステップが、前記使用者が前記エクササイズを実行する間の連続的な一連の時点において、前記使用者の姿勢を表す信号を捕捉するステップを含み、
前記感知信号と前記事前決定基準パターンとの間の前記比較が、エクササイズパターンを表す少なくとも１つの事前決定評価パラメータによって前記一連の時点において採用された値に基づき、
信号を送信する前記ステップは、画像が、
前記感知信号に関する前記評価パラメータの値と前記基準パターンに関する前記評価パラメータの対応する値との間の差が、事前決定許容範囲限界よりも小さいまたはこれに等しい場合に（またはその限りにおいて）、前記基準パターンに基づいた前記グラフィック要素なしに、前記使用者の現実の姿勢に対応する前記使用者のグラフィック表示を含み、
前記差が前記事前決定許容範囲限界よりも大きい場合に、前記差が生じた前記人体の部位を指示するために、前記基準パターンに基づいたグラフィック要素によって修正された前記使用者のグラフィック表示を含む、
ように前記比較に応じて画像を表示するステップを含むことを特徴とする、
請求項９に記載の方法。
【請求項１１】
前記感知信号と前記事前決定基準パターンとの間の前記比較が、前記感知信号に関して前記一連の時点において前記評価パラメータによって採用された前記値と、前記事前決定基準パターンに関して前記一連の時点において前記評価パラメータによって採用された対応する値とを比較することによって、前記使用者が取った姿勢を表す第一評価パラメータと前記使用者の運動の速度を表す第二評価パラメータとに応じて行われることを特徴とする、
請求項１０に記載の方法。
【請求項１２】
前記使用者の修正表示を表示するために、前記比較に応じて前記感知信号及び前記基準パターンを処理するステップを含み、
前記修正表示が、
前記事前決定許容範囲限界を超える差が生じた前記人体の前記部位の彩色またはハイライト、及び、
少なくとも前記差が生じた前記使用者の人体の前記部位において、前記使用者の前記グラフィック表示に実質的に重ねられた、前記基準パターンに応じた前記使用者の理想的姿勢を表すグラフィック要素、
を含む、
請求項１０または１１に記載の方法。
【請求項１３】
前記使用者の前記グラフィック表示に加えて、
前記使用者の右手及び左手の順方向運動の状態及び順方向運動の速度を視覚的に示すようにそれぞれ構成された、右手充満バー（１５ｃ）及び左手充満バー（１５ｄ）、及び、
前記基準パターンに応じて、前記使用者の右手及び左手の順方向運動の理想的状態及び順方向運動の理想的速度を視覚的に示すようにそれぞれ構成された、右手基準充満バー（１５ａ）及び左手基準充満バー（１５ｂ）、
の両方または一方を表示するステップを含む、
請求項１０〜１２のいずれか一項に記載の方法。